(57)【要約】【課題】メモリーカートリッジを備えるデータカートリッジにおいて、ドライブ装置側のメモリーリーダが、カートリッジ装填口の奥端付近に設置されている場合でも、ドライブ装置側、およびライブラリーマシーン側のメモリーリーダとの間で、読み書き信号の送信と受信とを確実に行うことができるようにする。【解決手段】メモリーカートリッジＭは、データ記憶用のＩＣチップ１３と、ドライブ装置２５側のメモリーリーダＲ１と無線接続状態を確立する第１アンテナＡ１と、ライブラリーマシーン２１側のメモリーリーダＲ２との間で無線接続状態を確立する第２アンテナＡ２とを含む。第１アンテナＡ１を、ドライブ装置２５への装填始端側となるケース本体１の前端寄りの壁面に配置して、第２アンテナＡ２を、装填始端側とは反対側のケース本体の後端寄りの壁面に配置する。これら第１・第２アンテナＡ１・Ａ２は、対応するメモリーリーダＲ１・Ｒ２と正対するように、ケース本体１の内壁面に沿うよう配置することが好ましい。【選択図】図１
2005293626.tif 000002
【特許請求の範囲】
【請求項１】
ケース本体の内部に、情報記録媒体と、非接触型のメモリーカートリッジとが配置されていて、前記メモリーカートリッジがドライブ装置およびライブラリーマシーン側のメモリーリーダとの間で無線接続状態となることによって、メモリーカートリッジ内の各種データを読み書きできるデータカートリッジにおいて、
前記メモリーカートリッジは、データ記憶用のＩＣチップと、前記ドライブ装置側のメモリーリーダと無線接続状態を確立する第１アンテナと、前記ライブラリーマシーン側のメモリーリーダとの間で無線接続状態を確立する第２アンテナとを含み、
前記第１アンテナが、前記ドライブ装置への装填始端側となる前記ケース本体の前端寄りの壁面に配置されており、  前記第２アンテナが、前記装填始端側とは反対側の前記ケース本体の後端寄りの壁面に配置されていることを特徴とするデータカートリッジ。
【請求項２】
前記第１・第２アンテナが、対応するメモリーリーダと正対するように、前記ケース本体の内壁面に沿うよう配置されている請求項１記載のデータカートリッジ。
【請求項３】
ケース本体の内部に、情報記録媒体と、メモリーカートリッジとが配置されていて、前記メモリーカートリッジがドライブ装置およびライブラリーマシーン側のメモリーリーダとの間で接触導通状態となることによって、メモリーカートリッジ内の各種データを読み書きできるデータカートリッジにおいて、
前記メモリーカートリッジは、データ記憶用のＩＣチップと、前記ドライブ装置側のメモリーリーダの接触端子が接触する第１接触端子と、前記ライブラリーマシーン側のメモリーリーダの接触端子が接触する第２接触端子とを含み、  前記第１接触端子が、前記ドライブ装置への装填始端側となる前記ケース本体の前端寄りの壁面に配置されており、
前記第２接触端子が、前記装填始端側とは反対側の前記ケース本体の後端寄りの壁面に配置されていることを特徴とするデータカートリッジ。
【発明の詳細な説明】
【技術分野】
【０００１】
本発明は、ケース本体の内部に、情報記録媒体とメモリーカートリッジとが配置されていて、そのメモリーカートリッジがドライブ装置およびライブラリーマシーン側のメモリーリーダとの間で接続状態となることによって、メモリーカートリッジ内の各種データを読み書きできるデータカートリッジに関する。
【背景技術】
【０００２】
データカートリッジのケース内部に配置されるメモリーカートリッジには、接触型と、非接触型とがある。いずれも、磁気テープなどの情報記録媒体の特性データや、録画時の設定データ等を読み書きできる。主としてコンピュータのデータ記録媒体として用いられるテープカートリッジにおいても、非接触型のメモリーカートリッジを付加することが検討されており、そこでは、テープに記録されたデータファイルのディレクトリや使用履歴データ等をメモリーカートリッジに記憶させて、より迅速なデータ検索と的確なデータ管理等を実現し、さらにロット番号、テープの仕様や特性等のメーカーデータも併せて記録する。
【０００３】
上記のようなコンピュータデータ記録用のテープカートリッジの一群は、ライブラリーマシーンによって管理されている。この種のライブラリーマシーンにおいては、多数個のテープカートリッジが収納されたラックから、目的のテープカートリッジを取り出して、これを適合するテープドライブに装填する。具体的には、ラックに収められたテープカートリッジを自動化されたライブラリーマシーンのハンド部でつかんでテープドライブに装填する。このとき、ハンド部に設けたアンテナを含むメモリーリーダで、メモリーカートリッジ内の記録データを読み込んでテープカートリッジの仕様やデータの概要を把握し、誤ったテープカートリッジがテープドライブに装填されるのを防ぎ、あるいは形式の異なるテープカートリッジを適合するテープドライブに装填できるようにしている。テープドライブの側にも同様のメモリーリーダを設けてある。
【０００４】
テープカートリッジ内部のメモリーカートリッジの配置位置は、テープドライブおよびライブラリーマシーンにおけるメモリーリーダの配置位置によって決まる。多くの場合は、テープドライブへの装填終端側となるテープカートリッジの後端壁の沿うようメモリーカートリッジを配してある（特許文献１、特許文献２参照）。これは、一般的にライブラリーマシーンはテープカートリッジの後端部をつかむため、当該位置にメモリーカートリッジを配してあると、ライブラリーマシーン側に設けたメモリーリーダとの間で良好な無線接続状態を確保できることによる。また、テープドライブ側においては、上記のメモリーカートリッジの配置位置に合わせて、そのカートリッジ装填口の開口付近にメモリーリーダを設けてある。
【０００５】
【特許文献１】特開２００２−１１７６４３号公報（図１、図４、図６）
【特許文献２】特開２００２−１１７６４４号公報（図１、図３、図５、図６）
【発明の開示】
【発明が解決しようとする課題】
【０００６】
本発明者等は、新規なテープカートリッジの管理システムの開発に携わっており、そこでは、設計上の理由から、テープドライブ側のメモリーリーダをカートリッジ装填口の奥端付近に設置することを予定している。このため、装填終端側にメモリーカートリッジを備える従来形態テープカートリッジでは、テープドライブ側のメモリーリーダとメモリーカートリッジとの間の距離が長く、有線或いは無線の接続状態を確立できないという問題がある。
【０００７】
本発明の目的は、ドライブ装置側のメモリーリーダが、カートリッジ装填口の奥端付近に設置されている場合でも、当該ドライブ装置側、およびライブラリーマシーン側のメモリーリーダとの間で、読み書き信号の送信と受信とを確実に行えるメモリーカートリッジを備えたデータカートリッジを提供することにある。
【課題を解決するための手段】
【０００８】
本発明は、図１ないし図４に示すごとく、ケース本体１の内部に、情報記録媒体３と、非接触型のメモリーカートリッジＭとが配置されていて、メモリーカートリッジＭがドライブ装置２５およびライブラリーマシーン２１側のメモリーリーダＲ１・Ｒ２との間で無線接続状態となることによって、メモリーカートリッジＭ内の各種データを読み書きできるデータカートリッジである。
【０００９】
かかるデータカートリッジにおいて、本発明は、メモリーカートリッジＭが、データ記憶用のＩＣチップ１３と、前記ドライブ装置２５側のメモリーリーダＲ１と無線接続状態を確立する第１アンテナＡ１と、ライブラリーマシーン２１側のメモリーリーダＲ２との間で無線接続状態を確立する第２アンテナＡ２とを含み、第１アンテナＡ１が、ドライブ装置２５への装填始端側となるケース本体１の前端寄りの壁面に配置されており、第２アンテナＡ２を、装填始端側とは反対側のケース本体の後端寄りの壁面に配置されていることを特徴とする。図１ないし図３には、第１アンテナＡ１をケース本体１の前端寄りの左側壁１５に沿うよう配置し、第２アンテナＡ２をケース本体１の後側壁１７に沿うよう配置した形態を示す。
【００１０】
本発明のデータカートリッジには、コンピュータデータのバックアップに供される単リール型のテープカートリッジのほか、ケース本体内に左右一対のリールを備えるテープカートリッジも含まれる。さらに、情報記録媒体３の種別としては、磁気記録テープのほかに、光磁気ディスクなどを挙げることができ、したがって本発明に係るデータカートリッジは、光磁気ディスクなどが内蔵されたディスクカートリッジをも含む概念である。
【００１１】
第１および第２アンテナＡ１・Ａ２は、図１ないし図３に示すごとく、ＩＣチップ１３を有するメモリーカートリッジＭの本体と完全別体となっているほか、図４に示すごとく、いずれか一方のアンテナＡ１・Ａ２（図示例では第２アンテナＡ２）がメモリーカートリッジＭの本体と同体であり、他方のアンテナ（図示例では第１アンテナＡ１）がメモリーカートリッジＭと別体であってもよい。すなわち、本発明で言うところの「メモリーカートリッジＭが、・・・ＩＣチップ１３と、・・・第１アンテナＡ１と、・・・第２アンテナＡ２とを含む」とは、図４に示すような形態をも含む概念である。
【００１２】
具体的には、これら第１・第２アンテナＡ１・Ａ２が、対応するメモリーリーダＲ１・Ｒ２と正対するように、ケース本体１の内壁面に沿うよう配置することが好ましい。
【００１３】
また本発明は、図１および図５に示すごとく、ケース本体１の内部に、情報記録媒体３と、メモリーカートリッジＭとが配置されていて、メモリーカートリッジＭがドライブ装置２５およびライブラリーマシーン２１側のメモリーリーダＲ１・Ｒ２との間で接触導通状態となることによって、メモリーカートリッジＭ内の各種データを読み書きできるデータカートリッジである。
【００１４】
かかるデータカートリッジにおいて、本発明は、メモリーカートリッジＭが、データ記憶用のＩＣチップ１３と、ドライブ装置２５側のメモリーリーダＲ１の接触端子が接触する第１接触端子Ｔ１と、ライブラリーマシーン２１側のメモリーリーダＲ２の接触端子が接触する第２接触端子Ｔ２とを含み、第１接触端子Ｔ１が、ドライブ装置２５への装填始端側となるケース本体１の前端寄りの壁面に配置されており、第２接触端子Ｔ２が、装填始端側とは反対側のケース本体１の後端寄りの壁面に配置されていることを特徴とする。
【００１５】
第１および第２接触端子Ｔ１・Ｔ２は、図５に示すごとく、ＩＣチップ１３を有するメモリーカートリッジＭの本体と完全別体となっているほか、図６に示すごとく、いずれか一方の接触端子Ｔ１・Ｔ２（図示例では第２接触端子Ｔ２）がメモリーカートリッジＭの本体と同体であり、他方の接触端子（図示例では第１接触端子Ｔ１）がメモリーカートリッジＭと別体であってもよい。すなわち、本発明で言うところの「メモリーカートリッジＭが、・・・ＩＣチップ１３と、・・・第１接触端子Ｔ１と、・・・第２接触端子Ｔ２とを含む」とは、図６に示すような形態をも含む概念である。
【発明の効果】
【００１６】
メモリーカートリッジＭのアンテナＡ１・Ａ２をＩＣチップ１３と別体としてあると、これらアンテナＡ１・Ａ２の配置位置を、ドライブ装置２５およびライブラリーマシーン２１におけるメモリーリーダＲ１・Ｒ２の配置位置に合せて適宜に変更することができる。これにて、図３に示すように、ドライブ装置２５側のメモリーリーダＲ１が、カートリッジ装填口２６の奥端付近に設置されているような場合でも、２つのアンテナＡ１・Ａ２を、対応するメモリーリーダＲ１・Ｒ２の配置位置に合せることで、読み書き信号の送信と受信とを支障なく確実に行うことが可能となる。また、ドライブ装置２５およびライブラリーマシーン２１におけるメモリーリーダＲ１・Ｒ２の配置位置に関して設計上の自由度が向上する。
【００１７】
アンテナＡ１・Ａ２が、ケース本体１の内壁面に沿って配置されていると、ケース本体１の内部におけるアンテナＡ１・Ａ２の装填スペースを小さくでき、データカートリッジの設計上の自由度が向上する。しかも、ケース本体１内におけるアンテナＡ１・Ａ２の装填構造が簡素化し、さらに組み付け作業性が良くなり、データカートリッジの全体の製造コストを削減化できる。
【００１８】
アンテナＡ１・Ａ２をメモリーリーダＲ１・Ｒ２と正対する位置に配することで、読み書き信号の送受信を確実に行うことが可能となり、電波の干渉やノイズの影響を受けることのない信頼性に優れたテープカートリッジが得られる。
【００１９】
ケース本体１内の内隅に生じる三角形状の内隅空所ＳにアンテナＡ１・Ａ２が配置されていると、元来はデッドスペースである当該部分を無駄なく有効活用することができ、これはデータカートリッジの小型化に貢献する。
【００２０】
図５に示すごとく、メモリーカートリッジＭの接触端子Ｔ１・Ｔ２をＩＣチップ１３と別体としてあると、これら接触端子Ｔ１・Ｔ２の配置位置をドライブ装置２５およびライブラリーマシーン２１におけるメモリーリーダＲ１・Ｒ２の配置位置に合せて、適宜に変更することができる。つまり、ドライブ装置２５側のメモリーリーダＲ１が、カートリッジ装填口２６の奥端付近に設置されているような場合でも、２つの接触端子Ｔ１・Ｔ２を使って当該ドライブ装置２５側、およびライブラリーマシーン２１側のメモリーリーダＲ１・Ｒ２との間で、読み書き信号の送信と受信とを確実に行うことができる。また、ドライブ装置２５およびライブラリーマシーン２１におけるメモリーリーダＲ１・Ｒ２の配置位置に関して設計上の自由度が向上する。
【発明を実施するための最良の形態】
【００２１】
（第１実施形態）
図１ないし図３は、本発明に係るデータカートリッジを単リール型のテープカートリッジに適用した第１実施形態を示す。図１および図２においてテープカートリッジは、上下ケース１ａ・１ｂを蓋合わせ状に結合してなる角箱状のケース本体１を有し、ケース本体１内に配置した１個のリール２にテープ（情報記録媒体）３が巻装されている。
【００２２】
ケース本体１の前側壁の一側端（右側端）にはテープ引出口５を設けてある。テープ３の繰り出し端には、テープドライブ側の連結具で捕捉連結される先導体６を設けてある。不使用時の先導体６は、テープ引出口５の内面の上下に設けたキャッチ機構によって、直立する待機姿勢で保持固定される。なお、ここで言う「前方向」とは、テープドライブ（ドライブ装置）２５への装填始端側となる方向を意味し、「後方向」とは、該装填始端側とは反対側の方向（装填終端側の方向）を意味する。
【００２３】
ケース本体１の内隅部のうち、テープ引出口５を除く三方の内隅部には、リール２の周縁に沿う部分円弧状の遊動規制壁７によって、略三角形状の内隅空所Ｓが区画形成されている。これらのうち、ケース本体１の前方左側の内隅空所Ｓ１には、誤消去防止用の切換ピース９が配設されており、これとは別のケース後方左側の内隅空所Ｓ２には、メモリーカートリッジＭが配置されている。これら２つの内隅空所Ｓ１・Ｓ２には、メモリーカートリッジＭの第１および第２アンテナＡ１・Ａ２がそれぞれ別々に配置されている。
【００２４】
メモリーカートリッジＭは、非接触型であって、絶縁性を有する横長四角形の基板１２と、これの一側面に配置したＩＣチップ１３と、コード１４を介してＩＣチップ１３に接続された別体の２つのアンテナＡ１・Ａ２とからなる。メモリーカートリッジＭは、ケース本体１の左側壁１５に沿って、該左側壁１５の内面に設けた位置決めリブ１６に係合して内倒れしないように、かつガタ付かないように位置決め保持されている。位置決めリブ１６は、上下ケース１ａ・１ｂにそれぞれに突設されていて、突き合わせ接合されており、メモリーカートリッジＭの基板１２の長さ方向の両縁端を受け止める。ケース本体１の上下の内壁面には、基板１２の上下縁端を受け止める一対の溝（不図示）を設けてある。かくして、メモリーカートリッジＭは、基板１２の板面が垂直になる姿勢で、しかもＩＣチップ１３がケース内方を指向する姿勢で、ケース本体１内に装着される。
【００２５】
ケース本体１の前方左側の内隅空所Ｓ１に存する第１アンテナＡ１は、ケース本体１の左側壁１５に沿って配置されており、ケース本体１の左外側方に向かって電磁波を送出する。
【００２６】
ケース本体１の後方左側の内隅空所Ｓ２に存する第２アンテナＡ２は、ケース本体１の後側壁１７の垂直な内面に沿って配置されており、ケース本体１の後外側方に向かって電磁波を送出する。
【００２７】
これらケース本体１内に配置した第１・第２のアンテナＡ１・Ａ２も、先のメモリーカートリッジＭと略同等の構成で、ケース本体１内に位置決め保持されている。すなわち、アンテナＡ１・Ａ２は、それぞれが対応する左側壁１５および後側壁１７の内面に設けた位置決めリブ１６に係合して、内倒れしないように、かつガタ付かないように位置決め保持されている。
【００２８】
図２および図３において、符号２０は、ライブラリーマシーン２１のハンド部を示す。ハンド部２０は、上下のハンドル２２・２２と、これらを連結する連結部２３とからなり、このハンド部２０で複数のテープカートリッジが収納されたラックから、ひとつのテープカートリッジを取り出して、これをテープドライブ２５のカートリッジ装着口２６に装填する。ハンド部２０は、ケース本体１の後端寄りの左右方向中央部を、上下方向の外側から狭着保持する。
【００２９】
ハンド部２０の連結部２３の左端面からは、治具２７が片持ち連出されており、この治具２７にメモリーリーダＲ２が設けられている。メモリーリーダＲ２は、ハンド部２０がテープカートリッジをつかんだときに、第２アンテナＡ２と対峙する。そして、メモリーリーダＲ２がメモリーカートリッジＭ内の管理情報などを読み出すことで、ライブラリーマシーン２１は、テープカートリッジの記録内容等を把握できる。
【００３０】
図３に示すように、テープドライブ２５のカートリッジ装填口２６の内部には、該装填口２６から差し込み装填されたテープカートリッジを受け止め支持するローディング枠２９が設けられており、このローディング枠２９の内奥の左側前端にメモリーリーダＲ１が組み付けられている。メモリーリーダＲ１は、カートリッジ装填口２６を介してテープドライブ２５内に差し込み装填されたテープカートリッジがセット位置にあるときに、先の第１アンテナＡ１と対峙する位置にある。ここでセット位置とは、テープドライブ２５が駆動機構や信号読み書き機構などを駆動して、テープ２に対して情報信号を読み書きできるような、テープカートリッジの状態位置を意味する。
【００３１】
かくして、テープカートリッジがテープドライブ２５内に装填されると、メモリーリーダＲ１がアンテナＡ１との間で無線接続状態を確立し、これにてテープドライブ２５は、メモリーカートリッジＭ内に記憶のディレクトリ情報や管理情報等の各種情報を読み書きする。
【００３２】
（第２実施形態）
図４に、本発明に係るデータカートリッジをテープカートリッジに適用した第２実施形態を示す。そこでは、ケース本体１の後方左側の内隅空所Ｓ２に、メモリーカートリッジＭを配置してある。このメモリーカートリッジＭは、非接触型であって、絶縁性を有する横長四角形の基板１２と、これの一側面に配置したＩＣチップ１３と、ＩＣチップ１３の周囲を囲むように基板１２に配置されたアンテナＡ２とからなる。メモリーカートリッジＭは、後側壁１７の内面に設けた位置決めリブ１６に係合して位置決め保持されており、ケース本体１の後外側方に向かって電磁波を送出する。
【００３３】
基板１２の後側壁１７と対向する外側面にアンテナＡ２が位置しており、ライブラリーマシーン側のメモリーリーダＲ２（図２参照）との対向間隔が小さくなるようにしてある。ＩＣチップ１３およびアンテナＡ２は、それぞれ外表面に塗布した絶縁性接着剤で被覆されて封止しておく。アンテナＡ２は、絶縁銅線をコイル状に巻いて形成し、あるいは基板１２上に形成したコイル状のプリント配線からなる。
【００３４】
ケース前方左側の内隅空所Ｓ１には、左側壁１５に沿って第１アンテナＡ１が配置されており、ケース本体１の左外側方に向かって電磁波を送出する。第１アンテナＡ１とメモリーカートリッジＭとは、コード１４を介して接続されている。
【００３５】
かかるテープカートリッジによれば、ハンド部２０がテープカートリッジをつかんだときに、メモリーカートリッジＭのアンテナＡ２とメモリーリーダＲ２とが対峙する。そして、メモリーリーダＲ２がメモリーカートリッジＭ内の管理情報などを読み出すことで、ライブラリーマシーン２１は、テープカートリッジの記録内容等を把握できる。また、テープカートリッジがテープドライブ２５内に装填されると、メモリーリーダＲ１がアンテナＡ１との間で無線接続状態を確立し、これにてテープドライブ２５は、メモリーカートリッジＭ内に記憶のディレクトリ情報や管理情報等の各種情報を読み書きする。
【００３６】
（第３実施形態）
図５に第３実施形態に係るデータカートリッジをテープカートリッジに適用した第３実施形態示す。そこでのメモリーカートリッジＭは、接触型のメモリーカートリッジであり、第１および第２の端子ユニット３３・３４のそれぞれに設けられた接触端子Ｔ１・Ｔ２を介して、テープドライブ２５あるいはライブラリーマシーン２１側のメモリーリーダＲ１・Ｒ２と情報のやりとりをする。詳しくは、メモリーリーダＲ１・Ｒ２側の接触端子と、端子ユニット３３・３４側の接触端子Ｔ１・Ｔ２とが物理的に接触して導電状態が確立されたときに、メモリーカートリッジＭとメモリーリーダＲ１・Ｒ２との間で情報の送受信をできるようにしてある。これら端子ユニット３３・３４と、メモリーカートリッジＭとの間は、コード１４により接続されている。
【００３７】
第１端子ユニット３３は、前記第１実施形態における第１アンテナＡ１と略同位置に、第２端子ユニット３４は、第２アンテナＡ２と略同位置に配置されている。すなわち、第１端子ユニット３３は、接触端子Ｔ１を左側壁１５から外面に向けて露出する姿勢で、左側壁１５に沿う内隅空所Ｓ１（図１参照）内に配置されている。第２端子ユニット３４は、接触端子Ｔ２を後側壁１７から外面に向けて露出する姿勢で、後側壁１７に沿う内隅空所Ｓ２（図１参照）内に配置されている。
【００３８】
かかるテープカートリッジによれば、ハンド部２０がテープカートリッジをつかんだときに、第２端子ユニット３４の接触端子Ｔ２とメモリーリーダＲ２の接触端子とが導電状態となる。そして、メモリーリーダＲ２がメモリーカートリッジＭ内の管理情報などを読み出すことで、ライブラリーマシーン２１は、テープカートリッジの記録内容等を把握できる。また、テープカートリッジがテープドライブ２５内に装填されると、メモリーリーダＲ１の接触端子が第１端子ユニット３３の接触端子Ｔ１との間で導電状態を確立し、これにてテープドライブ２５は、メモリーカートリッジＭ内に記憶のディレクトリ情報や管理情報等の各種情報を読み書きする。
【００３９】
（第４実施形態）
図６に、本発明に係るテープカートリッジをテープカートリッジに適用した第４実施形態を示す。そこでは、ケース本体１の後方左側の内隅空所Ｓ２に、メモリーカートリッジＭを配置してある。このメモリーカートリッジＭは、接触型であって、絶縁性を有する横長四角形の基板１２と、これの一側面に配置したＩＣチップ１３と、基板１２の表面に配置された接触端子Ｔ２とからなる。メモリーカートリッジＭは、接触端子Ｔ２を後側壁１７に切り欠き形成された開口からケース外側方に露出させた姿勢で、後側壁１７の内面に設けた位置決めリブ１６に係合して位置決め保持されている。
【００４０】
第１端子ユニット３３は、接触端子Ｔ１を左側壁１５から外面に向けて露出する姿勢で、左側壁１５に沿う内隅空所Ｓ１（図１参照）内に配置されている。第１端子ユニット３３とメモリーカートリッジＭとは、コード１４を介して接続されている。
【００４１】
かかるテープカートリッジによれば、ハンド部２０がテープカートリッジをつかんだときに、メモリーカートリッジＭの接触端子Ｔ２とメモリーリーダＲ２の接触端子とが導電状態となる。そして、メモリーリーダＲ２がメモリーカートリッジＭ内の管理情報などを読み出すことで、ライブラリーマシーン２１は、テープカートリッジの記録内容等を把握できる。また、テープカートリッジがテープドライブ２５内に装填されると、メモリーリーダＲ１の接触端子が第１端子ユニット３３の接触端子Ｔ１との間で導電状態を確立し、これにてテープドライブ２５は、メモリーカートリッジＭ内に記憶のディレクトリ情報や管理情報等の各種情報を読み書きする。
【図面の簡単な説明】
【００４２】
【図１】本発明の第１実施形態に係るデータカートリッジの要部の内部平面図
【図２】ライブラリーマシーンによるデータカートリッジの捕捉状態を示す斜視図
【図３】ドライブ装置内におけるデータカートリッジの状態を示す平面図
【図４】本発明の第２実施形態に係るデータカートリッジの要部の内部平面図
【図５】本発明の第３実施形態に係るデータカートリッジの要部の斜視図
【図６】本発明の第４実施形態に係るデータカートリッジの要部の内部平面図
【符号の説明】
【００４３】
１  ケース本体
３  情報記録媒体（テープ）
１３  ＩＣチップ
２１  ライブラリーマシーン
２５  テープドライブ
２６  カートリッジ装着口
Ｍ  メモリーカートリッジ
Ａ１  第１アンテナ
Ａ２  第２アンテナ
Ｒ１  メモリーリーダ
Ｒ２  メモリーリーダ
Ｔ１  接触端子
Ｔ２  接触端子
【図１】
2005293626.tif 000003
【図２】
2005293626.tif 000004
【図３】
2005293626.tif 000005
【図４】
2005293626.tif 000006
【図５】
2005293626.tif 000007
【図６】
2005293626.tif 000008